(57)【要約】【課題】本発明は、椅子に着座した作業者が安定した姿勢で作業を行えるようにするとともに、椅子を横移動させる際、作業者の脚の負担軽減を図れるようにすることを目的とする。【解決手段】本発明は、複数のキャスター２１に支持されており、着座部３０を備える椅子本体部２０と、椅子本体部２０に装着されており、着座部３０に着座した作業者が踏めるように構成された左右の足踏み式レバー５０と、椅子本体部２０に装着されており、左側の足踏み式レバー５０の動作を受けて椅子本体部２０を左方向に移動させる左側の移動機構４０と、右側の足踏み式レバー５０の動作を受けて椅子本体部２０を右方向に移動させる右側の移動機構４０とを有する。【選択図】図１
2015139514.tif 000002
【特許請求の範囲】
【請求項１】
複数のキャスターに支持されており、着座部を備える椅子本体部と、
前記椅子本体部に装着されており、着座部に着座した作業者が踏めるように構成された左右の足踏み式レバーと、
前記椅子本体部に装着されており、前記左側の足踏み式レバーの動作を受けて前記椅子本体部を左右一方向に移動させる移動機構と、前記右側の足踏み式レバーの動作を受けて前記椅子本体部を左右他方向に移動させる移動機構と、
を有することを特徴とする作業用の椅子。
【請求項２】
請求項１に記載された作業用の椅子であって、
前記移動機構は、上端部が上下方向に相対回動可能な状態で連結された棒状の回動レバーとキックレバーとを備え、
前記回動レバーは、下端部が上下回動可能な状態で前記椅子本体部に連結されて、前記足踏み式レバーの動作を受けて起立位置から倒伏方向に回動可能な構成であり、
前記キックレバーは、下端部が床面を斜めに押圧可能な構成であり、
前記回動レバーが起立位置から倒伏方向に回動するにつれて前記回動レバーと前記キックレバーとの成す角が大きくなって、前記回動レバーの下端部から前記キックレバーの下端部までの水平距離が大きくなるように構成されていることを特徴とする作業用の椅子。
【請求項３】
請求項２に記載された作業用の椅子であって、
前記足踏み式レバーは、途中位置が上下回動可能な状態で前記椅子本体部に連結されて、先端側に足踏み部が設けられ、基端部に前記回動レバーを回動させるアーム部が連結されており、
前記足踏み式レバーの足踏み部が足踏みされて基端部が前記アーム部を引き上げることで、前記アーム部が前記回動レバーを起立位置から倒伏方向に回動させることを特徴とする作業用の椅子。
【請求項４】
請求項３に記載された作業用の椅子であって、
前記足踏み式レバーの基端部と前記アーム部とが第１弾性体を介して連結されていることを特徴とする作業用の椅子。
【請求項５】
請求項２から請求項４のいずれかに記載された作業用の椅子であって、
前記キックレバーと前記椅子本体部間には、そのキックレバーを介して前記回動レバーを起立位置方向に付勢する第２弾性体が装着されていることを特徴とする作業用の椅子。
【発明の詳細な説明】
【技術分野】
【０００１】
本発明は、作業者が椅子に着座した状態で横移動しながら作業を行えるように構成された作業用の椅子に関する。
【背景技術】
【０００２】
低い位置で移動しながらの作業では、作業者のしゃがみ作業による負担軽減を図るため、キャスター付きの椅子が好適に使用される。即ち、作業者はキャスター付きの椅子に着座した状態で、脚を使って椅子を左右に移動させながら低い位置での作業を行うことができる。
しかし、椅子に着座している状態で脚を左右方向に動かす動作は、ふだん使い慣れていない筋肉を使う動作のため、長時間の作業では作業者の負担が大きくなる。
このため、着座者の体重を利用して横移動する椅子等が提案されている（特許文献１）。
【先行技術文献】
【特許文献】
【０００３】
【特許文献１】特開２００３−０３３２５３号
【発明の概要】
【発明が解決しようとする課題】
【０００４】
しかし、着座者の体重を利用して横移動する椅子では、椅子の横移動に伴って着座部が下がるため、作業者が安定した姿勢で作業をするのは難しい。
【０００５】
本発明は、上記問題点を解決するためになされたものであり、本発明が解決しようとする課題は、椅子に着座した作業者が安定した姿勢で作業を行えるようにするとともに、椅子を横移動させる際、作業者の脚の負担軽減を図れるようにすることである。
【課題を解決するための手段】
【０００６】
上記した課題は、各請求項の発明によって解決される。
請求項１の発明は、複数のキャスターに支持されており、着座部を備える椅子本体部と、前記椅子本体部に装着されており、着座部に着座した作業者が踏めるように構成された左右の足踏み式レバーと、前記椅子本体部に装着されており、前記左側の足踏み式レバーの動作を受けて前記椅子本体部を左右一方向に移動させる移動機構と、前記右側の足踏み式レバーの動作を受けて前記椅子本体部を左右他方向に移動させる移動機構とを有することを特徴とする。
【０００７】
本発明によると、椅子本体部の着座部に着座した作業者が左側の足踏み式レバーを踏むことで、その足踏み式レバーの動作を受けて移動機構が椅子本体部を左右一方向、例えば、左方向に移動させる。また、右側の足踏み式レバーを踏むことで、その足踏み式レバーの動作を受けて移動機構が椅子本体部を左右他方向、例えば、右方向に移動させる。
即ち、椅子本体部の着座部に着座した作業者が左右の足踏み動作をすることで椅子本体部を左方向、あるいは右方向に移動させられるようになる。ここで、足踏み動作はふだん使い慣れた筋肉を使う動作のため、長時間の作業でも作業者に負担が掛からない。
また、椅子本体部の横移動により着座部の高さが変わらないため、作業者は安定した姿勢で作業を行えるようになる。
【０００８】
請求項２の発明によると、移動機構は、上端部が上下方向に相対回動可能な状態で連結された棒状の回動レバーとキックレバーとを備え、前記回動レバーは、下端部が上下回動可能な状態で前記椅子本体部に連結されて、前記足踏み式レバーの動作を受けて起立位置から倒伏方向に回動可能な構成であり、前記キックレバーは、下端部が床面を斜めに押圧可能な構成であり、前記回動レバーが起立位置から倒伏方向に回動するにつれて前記回動レバーと前記キックレバーとの成す角が大きくなって、前記回動レバーの下端部から前記キックレバーの下端部までの水平距離が大きくなるように構成されていることを特徴とする。
即ち、足踏み式レバーの動作を受けて回動レバーが起立位置から倒伏方向に回動することで、その回動レバーとキックレバーとの成す角が大きくなり、キックレバーの下端部が床面を斜めに押圧する。これにより、椅子本体部はキャスターの働きでキックレバーの押圧方向とは逆方向に移動するようになる。
ここで、起立位置とは、回動レバーが立っている状態の位置を言い、倒伏方向とは、立っている状態の回動レバーが倒れる方向を言う。
なお、左右の足踏み式レバーを同時に踏むことで椅子本体部の横移動を止めることができる。
【０００９】
請求項３の発明によると、足踏み式レバーは、途中位置が上下回動可能な状態で椅子本体部に連結されて、先端側に足踏み部が設けられ、基端部に回動レバーを回動させるアーム部が連結されており、前記足踏み式レバーの足踏み部が足踏みされて基端部が前記アーム部を引き上げることで、前記アーム部が前記回動レバーを起立位置から倒伏方向に回動させることを特徴とする。
即ち、足踏み式レバーは、テコの原理を利用してアーム部を引き上げ、そのアーム部が回動レバーを回動させる構成のため、比較的小さな力で回動レバーを起立位置から倒伏方向に回動させられるようになる。
【００１０】
請求項４の発明によると、足踏み式レバーの基端部とアーム部とが第１弾性体を介して連結されていることを特徴とする。
このため、足踏み式レバーからアーム部にほぼ一定の力を伝達できるようになる。
【００１１】
請求項５の発明によると、キックレバーと椅子本体部間には、そのキックレバーを介して回動レバーを起立位置方向に付勢する第２弾性体が装着されていることを特徴とする。
このため、足踏み式レバーの踏み込みをやめれば、第２弾性体の弾性力で回動レバーを起立位置に戻すことができる。
【発明の効果】
【００１２】
本発明によると、椅子に着座した作業者が安定した姿勢で作業を行えるようになる。さらに、椅子を横移動させる際、作業者の脚の負担を軽減することができる。
【図面の簡単な説明】
【００１３】
【図１】本発明の本実施形態１に係る作業用の椅子の全体斜視図である。
【図２】前記作業用の椅子の使用状態を表す斜視図である。
【図３】前記作業用の椅子における左側の移動機構を表す斜視図である。
【図４】前記作業用の椅子における左側の移動機構の動作を表す斜視図である。
【図５】前記作業用の椅子における移動機構の動作原理図である。
【図６】前記作業用の椅子における足踏み式レバーの動作原理図である。
【発明を実施するための形態】
【００１４】
［実施形態１］
以下、図１〜図６に基づいて本発明の実施形態１に係る作業用の椅子について説明する。本実施形態に係る作業用の椅子１０は、作業者のしゃがみ作業において使用されるキャスター付きの椅子であり、作業者の足踏み力で左右方向に移動できるように構成されている。
ここで、図中の前後左右、及び上下は、椅子１０の前後左右、及び上下に対応している。
【００１５】
＜作業用の椅子１０の構成について＞
作業用の椅子１０は、図１に示すように、複数のキャスター２１を備える椅子本体部２０と、作業者が着座する着座部３０と、左右の移動機構４０と、左右の足踏み式レバー５０とから構成されている。
椅子本体部２０は、椅子１０の左右両側で前後方向に延びるサイドフレーム２２と、左右のサイドフレーム２２の中央部をつなぐ中央フレーム２４と、左右のサイドフレーム２２の後端部をつなぐ後部フレーム２５とを備えている。そして、左右のサイドフレーム２２の先端部と後端部、及び中央フレーム２４の左右両側にキャスター２１が左右方向を向けられた状態で固定されている。
即ち、椅子本体部２０は、上記した６個のキャスター２１の働きで左右方向に移動が可能になる。
【００１６】
椅子本体部２０の中央部には、中央フレーム２４と後部フレーム２５上に着座部３０の脚部３４をそれぞれ収納支持する筒状の脚部支持部２６が二本づつ立設されている。
着座部３０は、作業者が着座する円形クッション部３２と、その円形クッション部３２の四隅に設けられた棒状の脚部３４とから構成されている。そして、着座部３０の脚部３４がそれぞれ椅子本体部２０の脚部支持部２６に挿入されることで、図１に示すように、着座部３０は椅子本体部２０の中央部に設置される。
椅子本体部２０の脚部支持部２６の右側と左側とには、図１、図２等に示すように、中央フレーム２４と後部フレーム２５とをつなぐ連結フレーム２８がサイドフレーム２２と平行に設けられている。左右の連結フレーム２８は、左右の移動機構４０を支持するフレームである。
【００１７】
＜作業用の椅子１０の移動機構４０について＞
左側の移動機構４０は、左側の足踏み式レバー５０の力を受けて椅子本体部２０を左側に移動させる機構であり、右側の移動機構４０は、右側の足踏み式レバー５０の力を受けて椅子本体部２０を右側に移動させる機構である。左右の移動機構４０は等しい構成で左右対称に構成されている。このため、代表して左側の移動機構４０について説明する。
移動機構４０は、図３、図４、図５等に示すように、軸受部４１ｊを備えるＬ字形回動レバー４１を備えている。Ｌ字形回動レバー４１は、回動レバー本体部４１ｍとアーム部４１ａとからＬ字形に形成されており、回動レバー本体部４１ｍとアーム部４１ａとの境界位置、即ち、曲り部分に軸受部４１ｊが設けられている。そして、図３、図４等に示すように、椅子本体部２０の連結フレーム２８がＬ字形回動レバー４１の軸受部４１ｊに通されている。このため、Ｌ字形回動レバー４１は、椅子本体部２０の連結フレーム２８を中心にして上下方向に回動が可能になる。
【００１８】
Ｌ字形回動レバー４１の回動レバー本体部４１ｍの上端部（回動自由端）には、図３．図４に示すように、連結フレーム２８と平行に連結ピン４１ｐが前方に突出して設けられている。そして、回動レバー本体部４１ｍの連結ピン４１ｐにキックレバー４５の上端部に設けられた軸受部４５ｊが連結されている。
キックレバー４５は、Ｌ字形回動レバー４１の回転力を受けて床面ＦＬを右方向に蹴るレバーであり、直線状に形成されて上端部に前記軸受部４５ｊが設けられている。そして、キックレバー４５の軸受部４５ｊが回動レバー本体部４１ｍの連結ピン４１ｐに連結されることで、キックレバー４５が回動レバー本体部４１ｍに対して上下回動可能になり、相互間の成す角を変えることができる。
キックレバー４５の下端部には、床面ＦＬに面接触可能な押圧面４７ｍを備える床押圧ブロック４７が上下回動可能な状態で連結されている。さらに、キックレバー４５の途中位置には、図５等に示すように、戻しバネ４９の一端が連結されており、戻しバネ４９の他端がＬ字形回動レバー４１の軸受部４１ｊの左側で椅子本体部２０の中央フレーム２４のバネ受け２４ｂ（図３参照）に連結されている。ここで、戻しバネ４９は、キックレバー４５をＬ字形回動レバー４１の軸受部４１ｊ側に引き付ける方向に付勢されている。
【００１９】
このため、キックレバー４５は、図５の実線に示すように、戻しバネ４９のバネ力でＬ字形回動レバー４１の軸受部４１ｊに引き付けられて起立し、キックレバー４５とＬ字形回動レバー４１の回動レバー本体部４１ｍとの成す角が最小となる。即ち、キックレバー４５とＬ字形回動レバー４１の回動レバー本体部４１ｍとは、戻しバネ４９のバネ力で上向き楔状に尖った状態で起立するようになる。
そして、図５の実線に示すように、Ｌ字形回動レバー４１の回動レバー本体部４１ｍが起立している状態から、図５の二点鎖線に示すように、Ｌ字形回動レバー４１が左回動すると、回動レバー本体部４１ｍが戻しバネ４９のバネ力に抗して右方向に倒れ、回動レバー本体部４１ｍとキックレバー４５との成す角が大きくなる。これにより、Ｌ字形回動レバー４１の軸受部４１ｊからキックレバー４５の床押圧ブロック４７間の水平距離が大きくなり、キックレバー４５の床押圧ブロック４７が床面ＦＬを右側に蹴る。この結果、椅子本体部２０はキャスター２１の働きで左方向に移動するようになる。
即ち、Ｌ字形回動レバー４１の回動レバー本体部４１ｍが本発明の回動レバーに相当し、戻しバネ４９が本発明の第２弾性体に相当する。
【００２０】
＜作業用の椅子１０の足踏み式レバー５０について＞
足踏み式レバー５０は、足踏み力でＬ字形回動レバー４１のアーム部４１ａを引き上げて、Ｌ字形回動レバー４１を戻しバネ４９のバネ力に抗して図５において左回動させる部材である。即ち、起立している回動レバー本体部４１ｍを右方向に倒伏させる部材である。
足踏み式レバー５０は、図１等に示すように、直線状のレバー本体５２と、そのレバー本体５２の中央側面から左方向に突出する回動中心ピン５４と、レバー本体５２の先端に設けられた足踏み部５６とから構成されている。そして、足踏み式レバー５０の回動中心ピン５４が椅子本体部２０のサイドフレーム２２と中央フレーム２４との連結位置に設けられた側面軸受部２２ｊによって支持されている。これにより、足踏み式レバー５０のレバー本体５２は、回動中心ピン５４を中心に上下回動が可能になる。したがって、着座部３０に着座した作業者が足踏み式レバー５０の足踏み部５６を踏むことで、図６に示すように、レバー本体５２が回動中心ピン５４を中心に左回動し、そのレバー本体５２の基端部が上昇するようになる。
【００２１】
足踏み式レバー５０のレバー本体５２の基端部下面には、図４等に示すように、バネ受け部５２ｚが形成されており、このバネ受け部５２ｚに引きバネ５８の上端が連結されている。そして、引きバネ５８の下端がＬ字形回動レバー４１のアーム部４１ａの先端部に設けられたバネ受け部４１ｚに連結されている。引きバネ５８は、足踏み式レバー５０のレバー本体５２とＬ字形回動レバー４１のアーム部４１ａとを互いに接近させる方向に付勢されている。
これにより、足踏み式レバー５０の足踏み部５６を踏み込んでレバー本体５２の基端部を上昇させることで、図４、図５、図６等に示すように、Ｌ字形回動レバー４１のアーム部４１ａが引きバネ５８を介してレバー本体５２に引き上げられ、Ｌ字形回動レバー４１は、図５において左回動（図４において右回動）するようになる。
即ち、前記引きバネ５８が本発明の第１弾性体に相当する。
【００２２】
＜作業用の椅子１０の動作について＞
作業者が椅子１０を使用していない状態では、椅子１０の左右の移動機構４０におけるキックレバー４５とＬ字形回動レバー４１の回動レバー本体部４１ｍとは、図５の実線に示すように、戻しバネ４９のバネ力で互いの成す角が最小となる起立位置に保持されている。さらに、Ｌ字形回動レバー４１の回動レバー本体部４１ｍが起立位置に保持されることで、Ｌ字形回動レバー４１のアーム部４１ａが倒伏位置に保持されている。これにより、足踏み式レバー５０のレバー本体５２の基端部が引きバネ５８を介してＬ字形回動レバー４１のアーム部４１ａによって下方に引っ張られている。したがって、足踏み式レバー５０の先端に設けられた足踏み部５６は上限位置に保持されている。
この状態で、椅子１０の着座部３０に着座した作業者は、図２、図３に示すように、左右の足の先端を足踏み式レバー５０の足踏み部５６に乗せるようにする。そして、例えば、図４に示すように、作業者が左足を踏み込むと、足踏み式レバー５０のレバー本体５２が回動中心ピン５４を中心に左回動して、レバー本体５２の基端部が上昇する（白矢印参照）。
【００２３】
これにより、Ｌ字形回動レバー４１のアーム部４１ａが引きバネ５８を介して足踏み式レバー５０のレバー本体５２によって引き上げられ、Ｌ字形回動レバー４１は、図４において右回動（図５において左回動）するようになる。この結果、Ｌ字形回動レバー４１の回動レバー本体部４１ｍが戻しバネ４９のバネ力に抗して右方向に倒れ、回動レバー本体部４１ｍとキックレバー４５との成す角が大きくなる。これにより、Ｌ字形回動レバー４１の軸受部４１ｊからキックレバー４５の床押圧ブロック４７間の水平距離が大きくなり、キックレバー４５の床押圧ブロック４７が床面ＦＬを右側に蹴って椅子本体部２０は左方向に移動するようになる。
次に、作業者が左側の足踏み力を解除すると、戻しバネ４９のバネ力でキックレバー４５とＬ字形回動レバー４１の回動レバー本体部４１ｍとは、図５の実線に示すように、互いの成す角が最小となる起立位置まで戻される。即ち、Ｌ字形回動レバー４１は、回動レバー本体部４１ｍが起立するまで図５において右回動（図４において左回動）する。これにより、Ｌ字形回動レバー４１のアーム部４１ａは倒伏位置まで回動し、そのアーム部４１ａによって足踏み式レバー５０のレバー本体５２の基端部が引きバネ５８を介して下方に引っ張られる。これにより、足踏み式レバー５０の足踏み部５６は作業者の左足に追従するように上限位置まで戻される。
同様に、作業者が右足を踏み込むと、右側の移動機構４０の働きで椅子本体部２０は右方向に移動するようになる。
また、作業者が左右の足を同時に踏み込むとブレーキが掛かり、椅子本体部２０はその位置で停止するようになる。
【００２４】
＜本実施形態に係る作業用の椅子１０の長所について＞
本発明に係る作業用の椅子１０によると、作業者が左側の足踏み式レバー５０を踏むことで、その足踏み式レバー５０の動作を受けて左側の移動機構４０が椅子本体部２０を左方向に移動させる。また、右側の足踏み式レバー５０を踏むことで、その足踏み式レバー５０の動作を受けて右側の移動機構４０が椅子本体部２０を右方向に移動させる。
即ち、椅子本体部２０の着座部３０に着座した作業者が左右の足踏み動作をすることで椅子本体部２０を左方向、あるいは右方向に移動させられるようになる。ここで、足踏み動作はふだん使い慣れた筋肉を使う動作のため、長時間の作業でも作業者に負担が掛からない。
また、椅子本体部２０の横移動により着座部３０の高さが変わらないため、作業者は安定した姿勢で作業を行えるようになる。
【００２５】
さらに、足踏み式レバー５０は、テコの原理を利用してＬ字形回動レバー４１のアーム部４１ａを引き上げてＬ字形回動レバー４１を回動させる構成のため、比較的小さな力でＬ字形回動レバー４１の回動レバー本体部４１ｍを起立位置から倒伏方向に回動させられるようになる。
また、足踏み式レバー５０の基端部とＬ字形回動レバー４１のアーム部４１ａとが引きバネ５８（第１弾性体）を介して連結されているため、足踏み式レバー５０からアーム部４１ａにほぼ一定の力を伝達できるようになる。
さらに、キックレバー４５と椅子本体部２０間には、そのキックレバー４５を介してＬ字形回動レバー４１の回動レバー本体部４１ｍを起立位置方向に付勢する戻しバネ４９（第２弾性体）が装着されている。このため、足踏み式レバー５０の踏み込みをやめれば、戻しバネ４９（第２弾性体）のバネ力でＬ字形回動レバー４１の回動レバー本体部４１ｍを起立位置に戻すことができる。
【００２６】
＜変更例＞
ここで、本発明は上記実施形態に限定されるものではなく、本発明の要旨を逸脱しない範囲における変更が可能である。例えば、本実施形態では、椅子１０の移動機構４０をＬ字形回動レバー４１とキックレバー４５とから構成し、足踏み力を利用して床面ＦＬをキックレバー４５の床押圧ブロック４７で蹴ることで椅子１０を移動させる例を示した。しかし、移動機構を、例えば、車輪と、その車輪を回転させる歯車機構等から構成し、歯車機構を介して足踏み力を車輪に伝達して椅子１０を移動させる構成でも可能である。
また、本実施形態では、左側の足踏み式レバー５０を踏むことで左側の移動機構４０が椅子１０を左方向に移動させ、右側の足踏み式レバー５０を踏むことで右側の移動機構４０が椅子１０を右方向に移動させる例を示した。しかし、左側の足踏み式レバーを踏むことで左側の移動機構が椅子を右方向に移動させ、右側の足踏み式レバーを踏むことで右側の移動機構が椅子を左方向に移動させる構成でも可能である。
【符号の説明】
【００２７】
２０・・・・椅子本体部
２１・・・・キャスター
２２・・・・サイドフレーム
３０・・・・着座部
４０・・・・移動機構
４１ａ・・・アーム部
４１ｍ・・・回動レバー本体部（回動レバー）
４１・・・・Ｌ字形回動レバー
４５・・・・キックレバー
４９・・・・戻しバネ（第２弾性体）
５０・・・・足踏み式レバー
５８・・・・引きバネ（第１弾性体）
【図１】
2015139514.tif 000003
【図２】
2015139514.tif 000004
【図３】
2015139514.tif 000005
【図４】
2015139514.tif 000006
【図５】
2015139514.tif 000007
【図６】
2015139514.tif 000008